(57)【要約】【課題】全体のコンパクト化と容器の適切な保持とを両立できるカップホルダーを提供する。【解決手段】カップホルダー１０のホルダー支持部２２にホルダー本体２４、２６が取付けられている。ホルダー本体２４、２６は同軸（Ｌ１）上に配置されている回転軸２４Ａ、２６Ａを回転中心として、ホルダー支持部２２のホルダー支持面２２Ａ側の収納位置と、テーブル１６の容器支持面１６Ａと対向し、開口部６０、６２を上方から見て同じ位置となる使用位置とに移動可能となっている。また、ホルダー本体２４、２６には形状が異なる容器挿入用開口部６０、６２が形成されており、容器１８、２０に合った容器挿入用開口部６０、６２を有するホルダー本体２４、２６を使用位置に移動することで、容器１８、２０を適切に保持できると共に形状が異なる容器挿入用開口部を同一平面上に並べて配置する構成に比べて全体のコンパクト化が可能になる。【選択図】図１
2015157542.tif 000002
【特許請求の範囲】
【請求項１】
車体側の部材に固定されるホルダー支持部と、
前記ホルダー支持部に設けられ、容器の底部を支持する容器支持面を備えたテーブルと、
前記ホルダー支持部に取付けられ、形状が異なる容器挿入用開口部が形成されており、同軸上の回転軸により、前記ホルダー支持部側の収納位置と、前記容器支持面と対向し前記開口部が上方から見て同じ位置となる使用位置とに回転可能な複数のホルダー本体と、
を有するカップホルダー。
【請求項２】
前記複数のホルダー本体は、互いに重なることで前記収納位置と前記使用位置とに移動可能であり、前記使用位置において上方側となる前記ホルダー本体の前記容器挿入用開口部が、下方側となる前記ホルダー本体の前記容器挿入用開口部より小さい請求項１に記載のカップホルダー。
【請求項３】
前記ホルダー本体における前記容器挿入用開口部の枠部には前記容器の取っ手が係止可能である請求項１又は請求項２に記載のカップホルダー。
【請求項４】
前記テーブルは前記ホルダー支持部に回転可能に取付けられており、前記ホルダー支持部側に移動し、前記複数のホルダー本体を覆う収納位置と、前記容器支持面が前記容器の底部を支持可能な使用位置とへ回転可能である請求項１〜３の何れか１項に記載のカップホルダー。
【発明の詳細な説明】
【技術分野】
【０００１】
本発明は、自動車等の車両に搭載されるカップホルダーに関する。
【背景技術】
【０００２】
特許文献１では、四方に延在する規制部によって四角形状に区画された第１収容段部と、この第１収容段部の底面に開設された円形状の収容開口によって該第１収容段部に連通する第２収容段部とを有するホルダーを複数備えている。また、各ホルダーにおいて第１収容段部の底面または収容開口を挿通して第２収容段部の底面の夫々に容器を載置可能に構成されている。
【先行技術文献】
【特許文献】
【０００３】
【特許文献１】特表２０１２−９６７３４号公報
【発明の概要】
【発明が解決しようとする課題】
【０００４】
しかしながら、特許文献１のようなカップホルダーでは、更なるコンパクト化と、外周形状の異なる容器の保持性能の改善が求められる。
【０００５】
本発明は、上記事実を考慮して、全体のコンパクト化と容器の適切な保持とを両立できるカップホルダーを提供することを課題とする。
【課題を解決するための手段】
【０００６】
請求項１に記載のカップホルダーは、車体側の部材に固定されるホルダー支持部と、前記ホルダー支持部に設けられ、容器の底部を支持する容器支持面を備えたテーブルと、前記ホルダー支持部に取付けられ、形状が異なる容器挿入用開口部が形成されており、同軸上の回転軸により、前記ホルダー支持部側の収納位置と、前記容器支持面と対向し前記開口部が上方から見て同じ位置となる使用位置とに回転可能な複数のホルダー本体と、を有する。
【０００７】
請求項１に記載のカップホルダーでは、車体側の部材に固定されるホルダー支持部に設けられたテーブルに備えられた容器支持面で容器の底部を支持できるようになっている。また、ホルダー支持部に取付けられた複数のホルダー本体が、同軸上の回転軸により、ホルダー支持部側の収納位置と、容器支持面と対向し開口部が上方から見て同じ位置となる使用位置とに回転可能になっている。さらに、複数のホルダー本体のそれぞれには形状が異なる容器挿入用開口部が形成されている。このため、容器支持面に底部が支持される容器の外周形状に合った容器挿入用開口部を有するホルダー本体を使用位置に移動し、その容器挿入用開口部に容器を挿入することで、外周形状の異なる容器を適切に保持できると共に、テーブルに備えられた容器支持面で容器の底部を支持できる。また、形状が異なる容器挿入用開口部を同一平面上に並べて配置する構成に比べて全体のコンパクト化が可能になる。
【０００８】
請求項２に記載のカップホルダーは、請求項１に記載のカップホルダーにおいて、前記複数のホルダー本体は、互いに重なることで前記収納位置と前記使用位置とに移動可能であり、前記使用位置において上方側となる前記ホルダー本体の前記容器挿入用開口部が、下方側となる前記ホルダー本体の前記容器挿入用開口部より小さい。
【０００９】
請求項２に記載のカップホルダーでは、複数のホルダー本体が互いに重なることで、収納位置と使用位置とに移動可能となっており、使用位置において上方側となるホルダー本体の容器挿入用開口部が、下方側となるホルダー本体の容器挿入用開口部より小さい。このため、使用位置に移動した上方側のホルダー本体の容器挿入用開口部に容器を挿入する際に、下方側に重なったホルダー本体が邪魔にならない。このため、全体のコンパクト化と容器の適切な保持とを両立できる。
【００１０】
請求項３に記載のカップホルダーは、請求項１又は請求項２に記載のカップホルダーにおいて、前記ホルダー本体における前記容器挿入用開口部の枠部には前記容器の取っ手が係止可能である。
【００１１】
請求項３に記載のカップホルダーでは、使用位置にあるホルダー本体の容器挿入用開口部に挿入した容器の取っ手を、容器挿入用開口部の枠部に係止させることができる。この結果、取っ手を有する容器を適切に保持できる。
【００１２】
請求項４に記載のカップホルダーは、請求項１〜３の何れか1項に記載のカップホルダーにおいて、前記テーブルは前記ホルダー支持部に回転可能に取付けられており、前記ホルダー支持部側に移動し、前記複数のホルダー本体を覆う収納位置と、前記容器支持面が前記容器の底部を支持可能な使用位置とへ回転可能である。
【００１３】
請求項４に記載のカップホルダーでは、ホルダー支持部に回転可能に取付けられたテーブルを容器支持面が容器の底部を支持可能な使用位置へ回転し使用できると共に、使用しない場合いは、テーブルをホルダー支持部側に移動し、複数のホルダー本体を覆う収納位置へ回転することができる。このため、収納性状態においても全体のコンパクト化が可能になる。
【発明の効果】
【００１４】
請求項１に記載の本発明によれば、全体のコンパクト化と容器の適切な保持とを両立できる。
【００１５】
請求項２に記載の本発明によれば、全体のコンパクト化と容器の適切な保持とを両立できる。
【００１６】
請求項３に記載の本発明によれば、取っ手を有する容器を適切に保持できる。
【００１７】
請求項４に記載の本発明によれば、収納性状態においても全体のコンパクト化が可能になる。
【図面の簡単な説明】
【００１８】
【図１】本発明の第１実施形態のカップホルダーの使用状態を示す車両斜め後方から見た斜視図である。
【図２】本発明の第１実施形態のカップホルダーのホルダー本体を収納位置とした状態を示す車両斜め後方から見た斜視図である。
【図３】本発明の第１実施形態のホルダー本体の使用状態を示す車両斜め後方から見た斜視図である。
【図４】本発明の第１実施形態のホルダー本体の他の使用状態を示す車両斜め後方から見た斜視図である。
【図５】本発明の第１実施形態のカップホルダーを示す車両斜め後方から見た分解斜視図である。
【図６】本発明の第１実施形態のカップホルダーの取付け構造を示す車両斜め前方から見た斜視図である。
【図７】本発明の第１実施形態のカップホルダーの収納状態を示す車両斜め後方から見た斜視図である。
【図８】本発明の第２実施形態のカップホルダーの使用状態を示す車両斜め後方から見た斜視図である。
【図９】本発明の第３実施形態のカップホルダーのホルダー本体を示す平面図である。
【図１０】本発明の第４実施形態のカップホルダーのホルダー本体を示す平面図である。
【図１１】本発明の第５実施形態のカップホルダーのホルダー本体を示す平面図である。
【図１２】本発明の第６実施形態のカップホルダーのホルダー本体を示す平面図である。
【図１３】本発明の第７実施形態のカップホルダーの使用状態を示す車両斜め後方から見た斜視図である。
【発明を実施するための形態】
【００１９】
（第１実施形態）
以下、図１〜図７を用いて、本発明に係るカップホルダーの第１実施形態について説明する。なお、図面に適宜示される矢印ＦＲはカップホルダーが設けられる車両（自動車）の前方を示し、矢印ＬＨは車両左方（車幅方向一側）を示し、矢印ＵＰは車両上方を示す。
【００２０】
ここで、本実施形態に係るカップホルダー１０に収容可能とされる容器について説明する。容器のうち市場に流通している飲料容器には、主に平面視で円形の容器や、平面視で正方形の容器が多く流通している。また、固形物を入れる容器としては、平面視で矩形の容器が多く流通している。
【００２１】
図１には、カップホルダー１０の使用状態を車両斜め後方左側から見た斜視図が示されている。また、図７には、カップホルダー１０の収納状態を車両斜め後方左側から見た斜視図が示されており、カップホルダー１０はシート１２のシートバッグ１４の背面１４Ａの上部に収納可能に取付けられている。
【００２２】
図１に示すように、カップホルダー１０はテーブル１６とホルダー支持部２２とを備えており、テーブル１６とホルダー支持部２２は車幅方向を長手方向とする矩形状となっている。また、図６に示すように、ホルダー支持部２２は、シートバッグ１４のシートバッグフレーム２６の上部に固定された車体側の部材としてのシートバッグトップパネル２８の後面２８Ａに図示を省略したビス等の固定部材によって固定されている。
【００２３】
図１に示すように、テーブル１６はホルダー支持部２２の下端部に設けられており、テーブル１６はカップホルダー１０に保持される容器１８、２０の底部１８Ａ、２０Ａを支持する容器支持面１６Ａを備えている。また、テーブル１６の容器支持面１６Ａの外周部には凸部１６Ｂが、使用状態において上方となる方向に向かって突出形成されている。
【００２４】
図１に示すように、ホルダー支持部２２は、複数（本実施形態では２枚）のホルダー本体２４、２６を支持するホルダー支持面２２Ａを備えており、ホルダー支持部２２におけるホルダー支持面２２Ａの外周部には凸部２２Ｂが、シートバッグトップパネル２８の後面２８Ａに固定した状態で後方に向かって突出形成されている。
【００２５】
テーブル１６はホルダー支持部２２の下端部に回転可能に取付けられており、図７に示すように、ホルダー支持部２２側に移動し、ホルダー支持部２２の凸部２２Ｂの内側に保持され、ホルダー本体２４、２６を覆う収納位置と、図２に示すように、容器支持面１６Ａが水平となり、容器１８、２０の底部１８Ａ、２０Ａを支持可能な使用位置とへ回転可能となっている。
【００２６】
より具体的に説明すると、図５に示すように、テーブル１６はテーブル本体４４と、テーブル本体４４の裏面を覆うアンダーカバー４６とを備えている。そして、テーブル１６は収納位置で下端部となる位置に設けられた左右一対のヒンジ部３０によって、ホルダー支持部２２の下端部に取付けられている。また、各ヒンジ部３０はヒンジ本体３２とカバー３４を備えており、ヒンジ本体３２は回転軸３１に回転可能に取付けられた一方３２Ａが、ホルダー支持部２２の開口部３６を通して、図６に示すシートバッグトップパネル２８の後面２８Ａにビス等の固定部材３８によって固定されている。一方、ヒンジ本体３２は、回転軸３１に回転可能に取付けられた他方３２Ｂが、ビス等の固定部材４２によってテーブル本体４４に形成された取付け部４０に固定されている。なお、ヒンジ部３０のカバー３４はヒンジ本体３２の一方３２Ａを覆っている。
【００２７】
テーブル１６には収納位置で下端部の左右方向中央に、上方へ向かって切欠４８が直線状に形成されており、この切欠４８の内部には、バッグや袋等を係止可能なフック５０が設けられている。このフック５０の一端には、左右方向に突出する回転軸５０Ａが形成されており、これらの回転軸５０Ａが、テーブル本体４４における切欠４８の開口部側端部に互いに対向して配置された左右の軸受部５１に回転可能に軸支されている。従って、フック５０は、図７に実線で示すテーブル１６の切欠４８の内部に収納された収納位置と、収納位置から下方へ回転された図７に二点鎖線で示す使用位置とへ回転可能となっている。
【００２８】
図５に示すように、ホルダー本体２４、２６はホルダー支持面２２Ａに左右方向に並んで一対配置されており、ホルダー本体２４、２６はそれぞれホルダー支持面２２Ａに回転可能に取付けられている。
【００２９】
より具体的に説明すると、一方のホルダー本体２４の収納状態で下方側端部となる回転軸側端部には、左右方向外側に向かって回転軸２４Ａが突出形成されており、これらの回転軸２４Ａが、ホルダー支持部２２のホルダー支持面２２Ａに突出形成された左右一対の軸受部５２の軸孔５２Ａに回転可能に軸支されている。
【００３０】
また、ホルダー本体２４の回転軸側端部には、回転軸２４Ａの延長線上となる部位を越えて切り込まれた切欠５４が形成されており、切欠５４の対向する両側壁部５４Ａには、互い対向する位置に軸孔５４Ｂが形成されている。また、各軸孔５４Ｂは、軸孔５２Ａと同軸（Ｌ１）上に形成されている。
【００３１】
他方のホルダー本体２６の収納状態で下方側端部となる回転軸側端部の左右方向中央には下方に向かって凸部５６が形成されており、凸部５６の両側壁部５６Ａには、左右方向に突出する回転軸２６Ａが形成されている。また、ホルダー本体２６はホルダー本体２４に対して収納位置において後方側に重なるように配置されている。そして、ホルダー本体２６の凸部５６がホルダー本体２４の切欠５４の内部に挿入されており、ホルダー本体２６の回転軸２６Ａがホルダー本体２４の軸孔５４Ｂに回転可能に軸支されている。
【００３２】
このため、ホルダー本体２４の回転軸２４Ａとホルダー本体２６の回転軸２６Ａとが同軸（Ｌ１）上に配置されている。また、ホルダー本体２４は使用位置において図１に示すようにホルダー本体２６に上方に重なるようになっており、収納位置においては図２に示すように、ホルダー本体２６の前方に重なるようになっている。
【００３３】
なお、図１の右側に示すように、一方のホルダー本体２６が使用位置に移動すると、例えば、ホルダー本体２６の凸部５６の両側壁部５６Ａと、ホルダー本体２４の切欠５４の両側壁部５４Ａと、の摺動部に設けた、互いに係合する凹凸等で構成されるストッパによって、ホルダー本体２６が使用位置に保持されるようになっている。
【００３４】
また、図１の左側に示すように、ホルダー本体２４、２６が使用位置に移動すると、例えば、ホルダー本体２４と軸受部５２との摺動部に設けた、互いに係合する凹凸等で構成されるストッパと、ホルダー本体２６の凸部５６の両側壁部５６Ａと、ホルダー本体２４の切欠５４の両側壁部５４Ａと、の摺動部に設けた、互いに係合する凹凸等で構成されるストッパと、によって、ホルダー本体２４とホルダー本体２６とが上方から見て同じ使用位置に上下に重なった状態で保持されるようになっている。
【００３５】
図５に示すように、ホルダー本体２４には円形の容器挿入用開口部６０が形成されており、ホルダー本体２４は容器挿入用開口部６０の外周部に枠部２４Ｂを有する枠形状となっている。また、ホルダー本体２６には正方形状の容器挿入用開口部６２が形成されており、ホルダー本体２６は容器挿入用開口部６２の外周部に枠部２６Ｂを有する枠形状となっている。さらに、ホルダー本体２４の容器挿入用開口部６０は、ホルダー本体２６の容器挿入用開口部６２より小さくなっており、使用位置において、ホルダー本体２４とホルダー本体２６とが重なった際に、上方から見て容器挿入用開口部６０の内側にホルダー本体２６の一部が突出しない構成となっている。
【００３６】
従って、ホルダー本体２４とホルダー本体２６とは同軸（Ｌ１）上に配置されている回転軸２４Ａ、２６Ａを回転中心として、図２に示すように、ホルダー支持部２２のホルダー支持面２２Ａ側の収納位置と、図１に示すように、容器支持面１６Ａと対向し、開口部６０、６２を上方から見て同じ位置となる使用位置とに移動可能となっている。
【００３７】
（第１実施形態の作用・効果）
次に、第１実施形態の作用並びに効果を説明する。
【００３８】
図１に示すように、本実施形態のカップホルダー１０では、使用時にテーブル１６の容器支持面１６Ａで容器１８、２０の底部１８Ａ、２０Ａを支持する。このとき、ホルダー支持部２２のホルダー支持面２２Ａに取付けられたホルダー本体２４、２６によって容器１８、２０の外周１８Ｂ、２０Ｂを支持する。
【００３９】
例えば、容器１８の外周１８Ｂの上下方向から見た形状（平面視形状）が、矩形の場合には、図２の右側に示すように、収納位置にあるホルダー本体２４、２６のうち後方側のホルダー本体２６のみを図１に示すように使用位置へ移動する。この際、ホルダー本体２６を手動で使用位置方向（図２の矢印Ａ方向）へ回転させることで、ホルダー本体２６は回転軸２６Ａを回転中心にして使用位置方向（図２の矢印Ａ方向）へ回転する。
【００４０】
そして、図１に示すように、ホルダー本体２６が使用位置に移動されると、ホルダー本体２６に形成された正方形状の容器挿入用開口部６２に容器１８を挿入することで、容器１８の外周１８Ｂをホルダー本体２６によって確実に保持できる。また、テーブル１６の容器支持面１６Ａで容器１８の底部１８Ａを支持できる。
【００４１】
一方、容器２０の外周２０Ｂの上下方向から見た形状が円形の場合には、図２の左側に示すように、収納位置にあるホルダー本体２４、２６の双方を図１に示すように使用位置へ移動する。この際、ホルダー本体２４、２６を手動で使用位置方向（図２の矢印Ａ方向）へ回転させることで、ホルダー本体２６は回転軸２６Ａを回転中心にして使用位置方向（図２の矢印Ａ方向）へ回転すると共に、ホルダー本体２４は回転軸２４Ａを回転中心にして使用位置方向（図２の矢印Ａ方向）へ回転する。
【００４２】
そして、ホルダー本体２４がホルダー本体２６の上に重なる使用位置に移動し、ホルダー本体２４に形成された円形の容器挿入用開口部６０に容器２０を挿入することで、容器２０の外周２０Ｂをホルダー本体２４によって確実に保持できる。また、テーブル１６の容器支持面１６Ａで容器２０の底部２０Ａを支持できる。この際、ホルダー本体２４の容器挿入用開口部６０がホルダー本体２６の容器挿入用開口部６２より小さくなっており、上方から見て容器挿入用開口部６０の内側にホルダー本体２６の一部が突出せず、ホルダー本体２６が容器２０の挿入を邪魔することがない。
【００４３】
従って、本実施形態では、テーブル１６の容器支持面１６Ａに底部１８Ａ、２０Ａが支持される容器１８、２０の外周１８Ｂ、２０Ｂの形状に合った容器挿入用開口部６０、６２を有するホルダー本体２４、２６を使用位置に移動し、その容器挿入用開口部６０、６２に容器１８、２０を挿入することで、容器１８、２０を適切に保持できる。また、本実施形態のカップホルダー１０は、形状が異なる容器挿入用開口部を同一平面上に並べて配置する従来の構成に比べて、カップホルダー１０全体のコンパクト化が可能になる。
【００４４】
また、図３に示すように、容器７０（底部７０Ａ）の外周７０Ｂの上下方向から見た形状が、ホルダー本体２６の容器挿入用開口部６２より僅かに小さい正方形の場合には、正方形状の容器挿入用開口部６２が形成されたホルダー本体２６による容器７０の保持性能がさらに向上する。
【００４５】
また、本実施形態のカップホルダー１０では、ホルダー本体２４、２６が容器挿入用開口部６０、６２の外周部に枠部２４Ｂ、２６Ｂを有する枠形状となっている。このため、図４に示すように、容器７２の外周７２Ｂの上下方向から見た形状が、ホルダー本体２４の容器挿入用開口部６０より小さい円形の場合には、容器７２の外周７２Ｂに設けられた左右の取っ手７２Ｃを、使用位置にあるホルダー本体２４、２６の開口部６０、６２の枠部２４Ｂ、２６Ｂに係止させ、容器７２の底部７２Ａを図１に示す容器支持面１６Ａで支持することができる。この結果、取っ手７２Ｃを有する容器７２を適切に保持できる。
【００４６】
また、本実施形態のカップホルダー１０では、図７に示すように、テーブル１６をホルダー支持部２２側に移動し、ホルダー本体２４、２６を覆う収納位置へ回転させることができる。このため、収納性状態においてもカップホルダー１０全体のコンパクト化が可能になる。
【００４７】
（第２実施形態）
次に、図８を用いて、本発明の第２実施形態に係るカップホルダー１０の一例について説明する。なお、前述した第１実施形態等と同一構成部分については、同一番号を付してその説明を省略する。
【００４８】
図８に示されるように、本実施形態では、３枚のホルダー本体２４、２６、８０が同軸（Ｌ１）上に配置された回転軸により、ホルダー支持部２２側の収納位置と、容器支持面１６Ａと対向し、上方から見て同じ使用位置とに回転可能となっている。なお、３枚目のホルダー本体８０は、矩形板状の中央部に三角形の容器挿入用開口部８２が形成されている。
【００４９】
そして、本実施形態では、ホルダー支持部２２側の収納位置が、使用位置の上方側の上収納位置と使用位置の下方側の下収納位置との２箇所になっている。このため、図８の右側に示すように、ホルダー本体２６を使用する場合には、ホルダー本体２４を上収納位置に収納し、ホルダー本体８０を下収納位置に収納する。また、図８の左側に示すように、ホルダー本体２４を使用する場合には、ホルダー本体２６、８０を下収納位置に前後方向に重ねて収納する。なお、図示を省略するが、ホルダー本体８０を使用する場合には、ホルダー本体２４、２６を上収納位置に前後方向に重ねて収納する。
【００５０】
（第２実施形態の作用・効果）
本実施形態では、第１実施形態の作用効果に加えて、使用位置において、ホルダー本体２４、２６、８０が上下方向に重ならない。このため、ホルダー本体２４、２６、８０の各容器挿入用開口部６０、６２、８２の形状を、大小関係に制約されず自由に設定できる。
【００５１】
（実施形態の補足説明）
以上に於いては、本発明を特定の実施形態について詳細に説明したが、本発明は上記実施形態に限定されるものではなく、本発明の範囲内にて他の種々の実施形態が可能であることは当業者にとって明らかである。
【００５２】
例えば、図９に示す第３実施形態のように、複数のホルダー本体のうちの１つのホルダー本体８４の容器挿入用開口部８５を使用位置において左右となる辺８５Ａが直線で前後となる辺８５Ｂが外方へ凸の円弧の矩形状としてもよい。また、図１０に示す第４実施形態のように、複数のホルダー本体のうちの１つのホルダー本体８６の容器挿入用開口部８７を使用位置において左右となる辺８７Ａが外方へ凸の円弧で前後となる辺８７Ｂが直線の矩形状としてもよい。また、図１１に示す第５実施形態のように、複数のホルダー本体のうちの１つのホルダー本体８８の容器挿入用開口部８９を十字形状としてもよい。また、図１２に示す第６実施形態のように、複数のホルダー本体のうちの１つのホルダー本体９０の容器挿入用開口部９１を星形状としてもよい。また、図示しないが、ホルダー本体の容器挿入用開口部を他の形状としてもよい。
【００５３】
また、複数のホルダー本体の数は４枚以上でもよい。さらに、図１３に示す第７実施形態のように、複数のホルダー本体２４、２６と、一つのホルダー本体２４とを左右に並べて配置した構成としてもよい。
【００５４】
また、上記各実施形態では、カップホルダー１０をシート１２のシートバッグ１４の背面１４Ａの上部に取付けたが、これに代えた、カップホルダー１０を車室内のインパネコンソールやアームレスト等の他の部位に取付けてもよい。
【符号の説明】
【００５５】
１０    カップホルダー
１６    テーブル
１６Ａ    容器支持面
２２    ホルダー支持部
２２Ａ    ホルダー支持面
２４    ホルダー本体
２４Ａ    回転軸
２４Ｂ    枠部
２６    ホルダー本体
２６Ａ    回転軸
２６Ｂ    枠部
２８    シートバッグトップパネル（車体側の部材）
６０    容器挿入用開口部
６２    容器挿入用開口部
８０    ホルダー本体
８２    容器挿入用開口部
８４    ホルダー本体
８５    容器挿入用開口部
８６    ホルダー本体
８７    容器挿入用開口部
８８    ホルダー本体
８９    容器挿入用開口部
９０    ホルダー本体
９１    容器挿入用開口部
【図１】
2015157542.tif 000003
【図２】
2015157542.tif 000004
【図３】
2015157542.tif 000005
【図４】
2015157542.tif 000006
【図５】
2015157542.tif 000007
【図６】
2015157542.tif 000008
【図７】
2015157542.tif 000009
【図８】
2015157542.tif 000010
【図９】
2015157542.tif 000011
【図１０】
2015157542.tif 000012
【図１１】
2015157542.tif 000013
【図１２】
2015157542.tif 000014
【図１３】
2015157542.tif 000015